(57)【要約】【課題】入力設定手段により設定された内容や進行状態を表示する表示手段を備えた洗濯乾燥機において、設定状況や進行状態を視覚的に確認しやすくして使い勝手を向上するとともに、設定手段や表示手段の数を少なくして構成を簡単にし、安価にする。【解決手段】運転コース等を入力する入力設定手段の設定等に基づいて、制御手段により洗い、すすぎ、脱水、乾燥の各行程を逐次制御し、入力設定手段により設定された内容や進行状態を表示手段により表示する。表示手段は、それぞれ複数のセグメントで構成した洗い時間表示部２２ａ、すすぎ回数表示部２２ｂ、脱水時間表示部２２ｃ、乾燥時間表示部２２ｄなどの表示部を有し、第１のコース設定スイッチ２１ｈにより運転するコースを設定したとき、設定されたコースに対応した表示部のすべてのセグメントを点灯させるようにする。【選択図】図１
2005124602.tif 000002
【特許請求の範囲】
【請求項１】
運転コース等を入力する入力設定手段と、前記入力設定手段の設定等に基づいて洗い、すすぎ、脱水、乾燥の各行程を逐次制御する制御手段と、前記入力設定手段により設定された内容や進行状態を表示する表示手段とを備え、前記表示手段は、それぞれ複数のセグメントで構成した洗い時間表示部、すすぎ回数表示部、脱水時間表示部、乾燥時間表示部などの表示部を有し、前記入力設定手段により運転するコースを設定したとき、設定されたコースに対応した表示部のすべてのセグメントを点灯させるようにした洗濯乾燥機。
【請求項２】
入力設定手段は、洗い、すすぎ、脱水、乾燥の一連の行程を行うコースと、洗い、すすぎ、脱水の各行程を行うコースと、乾燥行程のみを行うコースとのいずれかを切換設定できるようにした請求項１記載の洗濯乾燥機。
【請求項３】
洗い時間を設定する洗い時間設定手段と、すすぎ回数を設定するすすぎ回数設定手段と、脱水時間を設定する脱水時間設定手段と、乾燥時間を設定する乾燥時間設定手段とを備え、表示手段は、前記洗い時間設定手段、すすぎ回数設定手段、脱水時間設定手段、乾燥時間設定手段の周囲に、それぞれ洗い時間表示部、すすぎ回数表示部、脱水時間表示部、乾燥時間表示部を配置した請求項１記載の洗濯乾燥機。
【請求項４】
表示手段は、洗い時間、すすぎ回数、脱水時間、乾燥時間の各設定手段の周囲にそれぞれ対応する各表示部をリング状に配置した請求項３記載の洗濯乾燥機。
【請求項５】
投入された衣類の量を検知する布量検知手段と、前回設定したコースを記憶する記憶手段を備え、電源をオンしたとき、前記記憶手段に記憶されているコースに対応した表示部のすべてのセグメントを点灯し、動作をスタートさせたとき、前記布量検知手段により投入された衣類の量を検知し、前記記憶手段に記憶されているコースに対応した表示部に、それぞれ投入された衣類の量に応じた洗い時間、すすぎ回数、脱水時間、乾燥時間などを表示するようにした請求項１〜４のいずれか１項に記載の洗濯乾燥機。
【発明の詳細な説明】
【技術分野】
【０００１】
本発明は、入力設定手段により設定された内容や進行状態を表示する表示手段を備えた洗濯乾燥機に関するものである。
【背景技術】
【０００２】
従来、この種の洗濯乾燥機は、図４に示すように構成していた。以下、その構成について説明する。
【０００３】
図４に示すように、入力設定手段３９は運転コース等を入力するもので、水量設定手段３９ａ、洗い時間設定手段３９ｂ、すすぎ回数設定手段３９ｃ、脱水時間設定手段３９ｄ、乾燥時間設定手段３９ｅ、予約運転設定手段３９ｆ、運転開始手段３９ｇ、第１の運転コース入力設定手段３９ｈ、第２の運転コース入力設定手段３９ｉ、第３の運転コース入力設定手段３９ｊ、第４の運転コース入力設定手段３９ｋ、第５の運転コース入力設定手段３９ｍなどで構成している。
【０００４】
表示手段４０は、入力設定手段３９により設定された内容や進行状態を表示するもので、水量表示手段４０ａ、洗い時間表示手段４０ｂ、すすぎ回数表示手段４０ｃ、脱水時間表示手段４０ｄ、乾燥時間表示手段４０ｅ、残り時間または予約時間表示手段４０ｆ、蓋ロック表示手段４０ｇ、進行表示手段４０ｈ、コース表示手段４０ｉなどで構成している。また、進行表示手段４０ｈは、たとえば、洗い表示４１ａ、すすぎ表示４１ｂ、脱水表示４１ｃ、乾燥表示４１ｄなどで構成している。
【０００５】
上記構成において動作を説明する。使用者が洗い、すすぎ、脱水、乾燥の一連の行程を行うコースを行いたい場合、第１の運転コース入力設定手段３９ｈを操作する。このとき、進行表示手段４０ｈの内、洗い表示４１ａ、すすぎ表示４１ｂ、脱水表示４１ｃおよび乾燥表示４１ｄが点灯し、それぞれの行程が選択されていることを使用者に知らせる。
【０００６】
つぎに、使用者が洗い、すすぎ、脱水の各行程を行うコースを行いたい場合、第５の運転コース入力設定手段３９ｍを操作する。このとき、進行表示手段４０ｈの内、それぞれの行程に対応した洗い表示４１ａ、すすぎ表示４１ｂ、脱水表示４１ｃがが点灯し、それぞれの行程が選択されていることを使用者に知らせる。
【０００７】
つぎに、使用者が乾燥行程のみを行うコースを行いたい場合、第４の運転コース入力設定手段３９ｋを操作する。このとき、進行表示手段４０ｈの内、乾燥表示４１ｄを点灯させることで乾燥行程のみが選択されていることを知らせる（例えば、特許文献１参照）。
【特許文献１】特開２００３−６２３８５号公報（図３）
【発明の開示】
【発明が解決しようとする課題】
【０００８】
このような従来の構成では、限られたスペースの中で様々な設定手段や表示手段を配置する必要があるため、それぞれの設定手段や表示手段の大きさを大きくすることができず、設定状況や進行状況の確認が困難で、使い勝手が悪いという問題を有していた。
【０００９】
本発明は上記従来の課題を解決するもので、設定状況や進行状態を視覚的に確認しやすくして使い勝手を向上するとともに、設定手段や表示手段の数を少なくして構成を簡単にし、安価にすることを目的としている。
【課題を解決するための手段】
【００１０】
本発明は上記目的を達成するために、運転コース等を入力する入力設定手段の設定等に基づいて、制御手段により洗い、すすぎ、脱水、乾燥の各行程を逐次制御し、入力設定手段により設定された内容や進行状態を表示手段により表示するよう構成し、表示手段は、それぞれ複数のセグメントで構成した洗い時間表示部、すすぎ回数表示部、脱水時間表示部、乾燥時間表示部などの表示部を有し、入力設定手段により運転するコースを設定したとき、設定されたコースに対応した表示部のすべてのセグメントを点灯させるようにしたものである。
【００１１】
これにより、設定状況や進行状態を視覚的に確認しやすくできて、使い勝手を向上することができるとともに、設定手段や表示手段の数を少なくできて構成を簡単にし、安価にすることができる。
【発明の効果】
【００１２】
本発明の洗濯乾燥機は、設定状況や進行状態を視覚的に確認しやすくできて、使い勝手を向上することができるとともに、設定手段や表示手段の数を少なくできて構成を簡単にし、安価にすることができる。
【発明を実施するための最良の形態】
【００１３】
第１の発明は、運転コース等を入力する入力設定手段と、前記入力設定手段の設定等に基づいて洗い、すすぎ、脱水、乾燥の各行程を逐次制御する制御手段と、前記入力設定手段により設定された内容や進行状態を表示する表示手段とを備え、前記表示手段は、それぞれ複数のセグメントで構成した洗い時間表示部、すすぎ回数表示部、脱水時間表示部、乾燥時間表示部などの表示部を有し、前記入力設定手段により運転するコースを設定したとき、設定されたコースに対応した表示部のすべてのセグメントを点灯させるようにしたものであり、洗い時間表示部、すすぎ回数表示部、脱水時間表示部、乾燥時間表示部などの表示部をそれぞれ複数のセグメントで構成し、運転するコースを設定したとき、設定されたコースに対応した表示部のすべてのセグメントを点灯させることで、各表示部の表示面積を大きくすることができ、設定状況や進行状態を視覚的に確認しやすくできて、使い勝手を向上することができるとともに、設定手段や表示手段の数を少なくできて構成を簡単にし、安価にすることができる。
【００１４】
第２の発明は、上記第１の発明において、入力設定手段は、洗い、すすぎ、脱水、乾燥の一連の行程を行うコースと、洗い、すすぎ、脱水の各行程を行うコースと、乾燥行程のみを行うコースとのいずれかを切換設定できるようにしたものであり、３つのコースを入力設定手段により切換設定できるので、入力設定手段の構成を簡単にでき、安価にすることができる。
【００１５】
第３の発明は、上記第１の発明において、洗い時間を設定する洗い時間設定手段と、すすぎ回数を設定するすすぎ回数設定手段と、脱水時間を設定する脱水時間設定手段と、乾燥時間を設定する乾燥時間設定手段とを備え、表示手段は、前記洗い時間設定手段、すすぎ回数設定手段、脱水時間設定手段、乾燥時間設定手段の周囲に、それぞれ洗い時間表示部、すすぎ回数表示部、脱水時間表示部、乾燥時間表示部を配置したものであり、洗い時間設定手段、すすぎ回数設定手段、脱水時間設定手段、乾燥時間設定手段などの各設定手段によりそれぞれの行程の時間や回数を変更可能にすることができるとともに、対応する各表示部を周囲に配置しているので、各設定手段と各表示部との関連を視覚的に確認しやすくすることができ、使い勝手を向上することができる。
【００１６】
第４の発明は、上記第３の発明において、表示手段は、洗い時間、すすぎ回数、脱水時間、乾燥時間の各設定手段の周囲にそれぞれ対応する各表示部をリング状に配置したものであり、各表示部の表示面積を大きくすることができ、設定状況や進行状態を視覚的にさらに確認しやすくできて、使い勝手を向上することができる。
【００１７】
第５の発明は、上記第１〜４のいずれか１つの発明において、投入された衣類の量を検知する布量検知手段と、前回設定したコースを記憶する記憶手段を備え、電源をオンしたとき、前記記憶手段に記憶されているコースに対応した表示部のすべてのセグメントを点灯し、動作をスタートさせたとき、前記布量検知手段により投入された衣類の量を検知し、前記記憶手段に記憶されているコースに対応した表示部に、それぞれ投入された衣類の量に応じた洗い時間、すすぎ回数、脱水時間、乾燥時間などを表示するようにしたものであり、電源をオンしたとき運転するコースを視覚的に確認することができるとともに、動作をスタートさせたとき、運転するコースの洗い時間、すすぎ回数、脱水時間、乾燥時間などを確認できるので、使い勝手をさらに向上することができる。
【００１８】
以下、本発明の一実施の形態について、図面を参照しながら説明する。なお、この実施の形態によって本発明が限定されるものではない。
【００１９】
図３に示すように、回転ドラム１は、有底円筒形に形成し外周部に多数の通水孔２を全面に設け、水受け槽３内に回転自在に配設している。回転ドラム１の回転中心に略傾斜方向に回転軸４を設け、回転ドラム１の軸心方向を正面側から背面側に向けて下向きに傾斜させて配設している。この回転軸４に、水受け槽３の背面に取り付けたモータ５を連結し、回転ドラム１を正転、逆転方向に回転駆動する。回転ドラム１の内壁面に数個の突起板６を設けている。
【００２０】
水受け槽３の正面側の上向き傾斜面に設けた開口部を蓋体７により開閉自在に覆い、この蓋体７を開くことにより衣類出入口８を通して回転ドラム１内に洗濯物を出し入れできるようにしている。蓋体７を上向き傾斜面に設けているため、洗濯物を出し入れする際、腰を屈めることなく行うことができる。
【００２１】
水受け槽３は洗濯機本体９よりばね体１０とダンパー１１により揺動可能に吊り下げており、水受け槽３の下部に排水経路１２の一端を接続し、排水経路１２の他端を排水弁１３に接続して水受け槽３内の洗濯水を排水するようにしている。給水弁１４は給水経路１５を通して水受け槽３内に水を給水するものである。水位検知手段１６は水受け槽３内の水位を検知するものである。
【００２２】
なお、本実施の形態では、回転ドラム１の回転中心に略傾斜方向に回転軸４を設け、回転ドラム１の軸心方向を正面側から背面側に向けて下向きに傾斜させて配設しているが、回転ドラム１の回転中心に略水平方向に回転軸４を設け、回転ドラム１の軸心方向を略水平方向に配設してもよい。
【００２３】
また、図３には図示していないが、回転ドラム１内に温風を送風する送風ファン１７と温風を加熱するヒータ１８（図２参照）とを備え、回転ドラム１内の洗濯物を乾燥する乾燥機能を有している。
【００２４】
制御装置１９は、図２に示すように構成しており、モータ５、排水弁１３、給水弁１４、送風ファン１７、ヒータ１８などの動作を制御し、洗い、すすぎ、脱水、乾燥の一連の行程を逐次制御するマイクロコンピュータからなる制御手段２０を有している。制御手段２０は、運転コース等を設定するための入力設定手段２１からの情報を入力して、その情報を基に表示手段２２で表示して使用者に知らせるとともに、入力設定手段２１により運転開始が設定されると、水受け槽３内の水位を検知する水位検知手段１６等からのデータを入力して負荷駆動手段２３を介して、排水弁１３、給水弁１４、送風ファン１７、ヒータ１８などの動作を制御し、洗濯・乾燥運転を行う。
【００２５】
このとき、制御手段２０は、モータ５のロータの位置を検出する位置検出手段２４からの情報に基づいて、駆動回路２５を介してインバータ２６を制御することによりモータ５を回転制御するようにしている。モータ５は直流ブラシレスモータで、図示していないが、３相巻線を有するステータと、リング上に２極の永久磁石を配設しているロータとで構成し、ステータは３相巻線を構成する第１の巻線５ａ、第２の巻線５ｂ、第３の巻線５ｃをスロットを設けた鉄心に巻き付けて構成している。
【００２６】
インバータ２６は、パワートランジスタ（ＩＧＢＴ）と逆導通ダイオードの並列回路からなるスイッチング素子で構成している。第１のスイッチング素子２６ａと第２のスイッチング素子２６ｂの直列回路と、第３のスイッチング素子２６ｃと第４のスイッチング素子２６ｄの直列回路と、第５のスイッチング素子２６ｅと第６のスイッチング素子２６ｆの直列回路で構成し、各スイッチング素子の直列回路は並列接続している。
【００２７】
ここで、スイッチング素子の直列回路の両端は入力端子で、直流電源を接続し、スイッチング素子の直列回路を構成する２つのスイッチング素子の接続点に、それぞれ出力端子を接続している。出力端子は、３相巻線のＵ端子、Ｖ端子、Ｗ端子に接続し、スイッチング素子の直列回路を構成する２つのスイッチング素子のオン・オフの組合せにより、Ｕ端子、Ｖ端子、Ｗ端子をそれぞれ正電圧、零電圧、解放の３状態にする。
【００２８】
スイッチング素子のオン・オフは、ホールＩＣからなる３つの位置検出手段２４ａ、２４ｂ、２４ｃからの情報に基づいて制御手段２０により制御される。位置検出手段２４ａ、２４ｂ、２４ｃは電気角で１２０度の間隔でロータが有する永久磁石に対向するように、ステータに配設されている。
【００２９】
ロータが１回転する間に、３つの位置検出手段２４ａ、２４ｂ、２４ｃは、それぞれ電気角で１２０度の間隔でパルスを出力する。制御手段２０は、３つの位置検出手段２４ａ、２４ｂ、２４ｃのいずれかの信号の状態が変わったときを検知し、位置検出手段２４ａ、２４ｂ、２４ｃの信号を基に、スイッチング素子２６ａ〜２６ｆのオン・オフ状態を変えていくことで、Ｕ端子、Ｖ端子、Ｗ端子を正電圧、零電圧、解放の３状態にし、ステータの第１の巻線５ａ、第２の巻線５ｂ、第３の巻線５ｃに通電して磁界を作り、ロータを回転させるよう構成している。
【００３０】
また、スイッチング素子２６ａ、２６ｃ、２６ｅはそれぞれパルス幅変調（ＰＷＭ）制御され、例えば、繰り返し周波数１０ｋＨｚでハイ、ローの通電比を制御することで、ロータの回転数を制御するようにしてあり、制御手段２０は、３つの位置検出手段２４ａ、２４ｂ、２４ｃのいずれかの信号の状態が変わるたびにその周期を検出し、その周期よりロータの回転数を算出して、設定回転数になるようにスイッチング素子２６ａ、２６ｃ、２６ｅをＰＷＭ制御する。
【００３１】
電流検知手段２７は、インバータ２６の一方の入力端子に接続した抵抗２８と、この抵抗２８に接続した電流検知回路２９とで構成し、インバータ２６の入力電流値を検知し、その出力を制御手段２０に入力している。モータ５が直流ブラシレスモータの場合は、トルクは入力電流にほぼ比例するので、抵抗２８に接続した電流検知回路２９により、インバータ２６の入力電流値を検知することで、モータ５のトルクを検知することができる。
【００３２】
布量検知手段３０は、回転ドラム１内の洗濯物の量を検知するもので、回転ドラム１を所定回転数（例えば、２００ｒ／ｍｉｎ）に立ち上げるときの電流検知手段２７からの信号により回転ドラム１内の洗濯物の量を検知するようにしている。記憶手段３１は、電源をオフしても記憶内容を保持する不揮発性メモリで構成し、前回設定したコースを記憶するようにしている。
【００３３】
商用電源３２は、ダイオードブリッジ３３、チョークコイル３４、平滑用コンデンサ３５からなる直流電源変換装置を介して、インバータ２６に接続している。ただし、これは一例であり、直流ブラシレスモータ５の構成、インバータ２６の構成等は、これに限定されるものではない。
【００３４】
入力設定手段２１は、図１に示すように、洗い時間を設定する洗い時間設定スイッチ（洗い時間設定手段）２１ａ、すすぎ回数を設定するすすぎ回数設定スイッチ（すすぎ回数設定手段）２１ｂ、脱水時間を設定する脱水時間設定スイッチ（脱水時間設定手段）２１ｃ、乾燥時間を設定する乾燥時間設定スイッチ（乾燥時間設定手段）２１ｄ、スタート・一時停止スイッチ２１ｅ、電源入りスイッチ２１ｆ、電源切りスイッチ２１ｇなどを有している。また、第１のコース設定スイッチ２１ｈと第２のコース設定スイッチ２１ｉとを有し、さらに、乾燥設定スイッチ２１ｊを設けている。
【００３５】
第１のコース設定スイッチ２１ｈは、運転するコースを設定するもので、洗い、すすぎ、脱水、乾燥の一連の行程を行うコースと、洗い、すすぎ、脱水の各行程を行うコースと、乾燥行程のみを行うコースとを、１回オンするごとに上記の順に切換設定できるようにしている。
【００３６】
第２のコース設定スイッチ２１ｉは、おまかせコース、お急ぎコース、わたし流コース、毛布コース、１時間洗乾コースなどを切換設定するもので、１回オンするごとに上記の順に切り換えられるようにしている。乾燥設定スイッチ２１ｊは乾燥行程でふんわりキープコースを設定するものである。
【００３７】
表示手段２２は、洗い時間表示部２２ａ、すすぎ回数表示部２２ｂ、脱水時間表示部２２ｃ、乾燥時間表示部２２ｄと第２のコース設定スイッチ２１ｉで設定されるコースを表示するコース設定表示部２２ｅなどを有している。また、洗剤量表示部２２ｆ、残り時間表示部２２ｇ、数字表示部２２ｈを有している。
【００３８】
ここで、洗い時間表示部２２ａ、すすぎ回数表示部２２ｂ、脱水時間表示部２２ｃ、乾燥時間表示部２２ｄは、それぞれ複数のセグメントで構成している。すなわち、洗い時間表示部２２ａは、５分、１０分、１５分、２０分、２５分の５つのセグメントで構成し、すすぎ回数表示部２２ｂは、１回、２回、３回、４回、注水の５つのセグメントで構成し、脱水時間表示部２２ｃは、１分、３分、６分、１２分の４つのセグメントで構成し、乾燥時間表示部２２ｄは、３０分、６０分、１２０分、自動の４つのセグメントで構成している。
【００３９】
これら洗い時間表示部２２ａ、すすぎ回数表示部２２ｂ、脱水時間表示部２２ｃ、乾燥時間表示部２２ｄは、それぞれ洗い時間設定スイッチ２１ａ、すすぎ回数設定スイッチ２１ｂ、脱水時間設定スイッチ２１ｃ、乾燥時間設定スイッチ２１ｄの周囲にリング状に配置し、第１のコース設定スイッチ２１ｈにより運転するコースを設定したとき、設定されたコースに対応した表示部のすべてのセグメントを点灯させるようにしている。
【００４０】
例えば、洗い、すすぎ、脱水、乾燥の一連の行程を行うコースを設定した場合は、洗い時間表示部２２ａ、すすぎ回数表示部２２ｂ、脱水時間表示部２２ｃ、乾燥時間表示部２２ｄのそれぞれを構成する複数のセグメントをすべて点灯し、洗い、すすぎ、脱水の各行程を行うコースを設定した場合は、洗い時間表示部２２ａ、すすぎ回数表示部２２ｂ、脱水時間表示部２２ｃのそれぞれを構成する複数のセグメントをすべて点灯し、乾燥行程のみを行うコースを設定した場合は、乾燥時間表示部２２ｄを構成する複数のセグメントをすべて点灯する。
【００４１】
つぎに、記憶手段３１に前回設定したコースを記憶しておき、電源入りスイッチ２１ｆをオンにして電源をオンしたとき、記憶手段３１に記憶されているコースに対応した表示部のすべてのセグメントを点灯し、スタート・一時停止スイッチ２１ｅをオンにして動作をスタートさせると、布量検知手段３０により回転ドラム１内に投入された衣類の量を検知し、記憶手段３１に記憶されているコースに対応した表示部に、それぞれ投入された衣類の量に応じた洗い時間、すすぎ回数、脱水時間、乾燥時間などを表示するようにしている。
【００４２】
上記構成において動作、作用を説明する。電源入りスイッチ２１ｆをオンにすると、工場出荷時には、記憶手段３１に洗い、すすぎ、脱水、乾燥の一連の行程を行うコースを記憶しているので、洗い時間表示部２２ａ、すすぎ回数表示部２２ｂ、脱水時間表示部２２ｃ、乾燥時間表示部２２ｄのそれぞれを構成する複数のセグメントのすべてが点灯してリング状に点灯する。
【００４３】
この状態で、スタート・一時停止スイッチ２１ｅをオンにして動作をスタートさせると、布量検知手段３０により回転ドラム１内に投入された衣類の量を検知する。ここで、布量検知の動作を開始すると、制御手段２０は回転ドラム１内の洗濯物のバランスをとりながら回転数を上昇させ、回転ドラム１の回転数が１５０ｒ／ｍｉｎから２００ｒ／ｍｉｎの範囲で、電流検知回路２９で検知したインバータ２６の入力電流値、いいかえればモータ５の電流値を積算し、この積算値に基づいて、回転ドラム１内の洗濯物の量を検知する。
【００４４】
この回転ドラム１内の洗濯物の量に応じて、例えば、洗い時間を１５分、すすぎ回数をためすすぎ２回、脱水時間を６分、乾燥時間を自動（乾燥センサによる自動運転）などと表示し、運転を開始する。
【００４５】
この状態で運転を終了すると、記憶手段３１には、洗い、すすぎ、脱水、乾燥の一連の行程を行うコースを記憶するので、次回、電源入りスイッチ２１ｆをオンにすると、洗い時間表示部２２ａ、すすぎ回数表示部２２ｂ、脱水時間表示部２２ｃ、乾燥時間表示部２２ｄのそれぞれを構成する複数のセグメントのすべてが点灯してリング状に点灯する。
【００４６】
このとき、第１のコース設定スイッチ２１ｈを操作して、洗い、すすぎ、脱水の各行程を行うコースを設定すると、洗い時間表示部２２ａ、すすぎ回数表示部２２ｂ、脱水時間表示部２２ｃのそれぞれを構成する複数のセグメントのすべてが点灯してリング状に点灯する。この状態で運転すると、記憶手段３１に洗い、すすぎ、脱水の各行程を行うコースが記憶され、次回、電源入りスイッチ２１ｆをオンにすると、洗い時間表示部２２ａ、すすぎ回数表示部２２ｂ、脱水時間表示部２２ｃのそれぞれを構成する複数のセグメントのすべてが点灯してリング状に点灯する。
【００４７】
ここで、洗い時間表示部２２ａ、すすぎ回数表示部２２ｂ、脱水時間表示部２２ｃ、乾燥時間表示部２２ｄなどの表示部をそれぞれ複数のセグメントで構成し、電源をオンしたとき、記憶手段３１に記憶されているコースに対応した表示部のすべてのセグメントを点灯することにより、各表示部の表示面積を大きくすることができて、設定状況や進行状態を視覚的に確認しやすくできて、使い勝手を向上することができる。
【００４８】
また、第１のコース設定スイッチ２１ｈにより運転するコースを設定したときも同様に、各表示部の表示面積を大きくすることができて、設定状況や進行状態を視覚的に確認しやすくできて、使い勝手を向上することができる。
【００４９】
また、洗い時間表示部２２ａ、すすぎ回数表示部２２ｂ、脱水時間表示部２２ｃ、乾燥時間表示部２２ｄは、それぞれ洗い時間設定スイッチ２１ａ、すすぎ回数設定スイッチ２１ｂ、脱水時間設定スイッチ２１ｃ、乾燥時間設定スイッチ２１ｄの周囲にリング状に配置しているので、各設定手段と各表示部との関連を視覚的に確認しやすくすることができ、また、各表示部の表示面積を大きくすることができて、設定状況や進行状態を視覚的にさらに確認しやすくできて、使い勝手を向上することができる。
【００５０】
以上のように、本実施の形態においては、表示手段２２は、それぞれ複数のセグメントで構成した洗い時間表示部２２ａ、すすぎ回数表示部２２ｂ、脱水時間表示部２２ｃ、乾燥時間表示部２２ｄなどの表示部を有し、第１のコース設定スイッチ２１ｈによりにより運転するコースを設定したとき、設定されたコースに対応した表示部のすべてのセグメントを点灯させるようにしたので、各表示部の表示面積を大きくすることができ、設定状況や進行状態を視覚的に確認しやすくできて、使い勝手を向上することができるとともに、設定手段や表示手段の数を少なくできて構成を簡単にし、安価にすることができる。
【００５１】
また、第１のコース設定スイッチ２１ｈは、洗い、すすぎ、脱水、乾燥の一連の行程を行うコースと、洗い、すすぎ、脱水の各行程を行うコースと、乾燥行程のみを行うコースとのいずれかを切換設定できるようにしたので、３つのコースを第１のコース設定スイッチ２１ｈにより切換設定できるので、入力設定手段２１の構成を簡単にでき、安価にすることができる。
【００５２】
また、洗い時間表示部２２ａ、すすぎ回数表示部２２ｂ、脱水時間表示部２２ｃ、乾燥時間表示部２２ｄは、それぞれ洗い時間設定スイッチ２１ａ、すすぎ回数設定スイッチ２１ｂ、脱水時間設定スイッチ２１ｃ、乾燥時間設定スイッチ２１ｄの周囲に配置しているので、洗い時間設定スイッチ２１ａ、すすぎ回数設定スイッチ２１ｂ、脱水時間設定スイッチ２１ｃ、乾燥時間設定スイッチ２１ｄによりそれぞれの行程の時間や回数を変更可能にすることができるとともに、対応する各表示部を周囲に配置しているので、各設定手段と各表示部との関連を視覚的に確認しやすくすることができ、使い勝手を向上することができる。
【００５３】
また、洗い時間表示部２２ａ、すすぎ回数表示部２２ｂ、脱水時間表示部２２ｃ、乾燥時間表示部２２ｄは、それぞれ洗い時間設定スイッチ２１ａ、すすぎ回数設定スイッチ２１ｂ、脱水時間設定スイッチ２１ｃ、乾燥時間設定スイッチ２１ｄの周囲にリング状に配置しているので、各表示部の表示面積を大きくすることができ、設定状況や進行状態を視覚的にさらに確認しやすくできて、使い勝手を向上することができる。
【００５４】
また、電源をオンしたとき、記憶手段３１に記憶されているコースに対応した表示部のすべてのセグメントを点灯し、動作をスタートさせたとき、布量検知手段３０により投入された衣類の量を検知し、記憶手段３１に記憶されているコースに対応した表示部に、それぞれ投入された衣類の量に応じた洗い時間、すすぎ回数、脱水時間、乾燥時間などを表示するようにしたので、電源をオンしたとき運転するコースを視覚的に確認することができるとともに、動作をスタートさせたとき、運転するコースの洗い時間、すすぎ回数、脱水時間、乾燥時間などを確認できるので、使い勝手をさらに向上することができる。
【産業上の利用可能性】
【００５５】
本発明にかかる洗濯乾燥機は、設定状況や進行状態を視覚的に確認しやすくできて、使い勝手を向上することができるとともに、設定手段や表示手段の数を少なくできて構成を簡単にし、安価にすることができるので、入力設定手段により設定された内容や進行状態を表示する表示手段を備えた洗濯乾燥機として有用である。
【図面の簡単な説明】
【００５６】
【図１】本発明の一実施の形態の洗濯乾燥機の入力設定手段および表示手段の正面図
【図２】同洗濯機の一部ブロック化した回路図
【図３】同洗濯機の断面図
【図４】従来の洗濯乾燥機の入力設定手段および表示手段の正面図
【符号の説明】
【００５７】
２０  制御手段
２１  入力設定手段
２１ｈ  第１のコース設定スイッチ（入力設定手段）
２２  表示手段
２２ａ  洗い時間表示部
２２ｂ  すすぎ回数表示部
２２ｃ  脱水時間表示部
２２ｄ  乾燥時間表示部
【図１】
2005124602.tif 000003
【図２】
2005124602.tif 000004
【図３】
2005124602.tif 000005
【図４】
2005124602.tif 000006